(57)【要約】【課題】外側から存在を認識できない収納空間を、壁の内部に設けることができる壁面収納装置を提供する。【解決手段】壁面に設けられ、前面が開放する第１の収納空間と、前記第１の収納空間に隣接して前記壁面に設けられ、前面が閉塞する第２の収納空間と、前記第１の収納空間と、前記第２の収納空間との間を仕切るための仕切り板であって、前記第１の収納空間と前記第２の収納空間と遮断する第１の姿勢と、前記第１の収納空間と前記第２の収納空間とを連通する第２姿勢との間で姿勢変更可能に設けられた仕切り板とを含む、壁面収納装置を提供する。【選択図】図１
2020153061.tif 000002
【特許請求の範囲】
【請求項１】
壁面に設けられ、前面が開放する第１の収納空間と、
前記第１の収納空間に隣接して、前記壁面に設けられ、前面が閉塞する第２の収納空間と、
前記第１の収納空間と、前記第２の収納空間との間を仕切るための仕切り板であって、前記第１の収納空間と前記第２の収納空間と遮断する第１の姿勢と、前記第１の収納空間と前記第２の収納空間とを連通する第２姿勢との間で姿勢変更可能に設けられた仕切り板とを含む、壁面収納装置。
【請求項２】
前記仕切り板が、前後方向にスライド可能に設けられており、
前記仕切り板の前記第１の姿勢は、前記仕切り板が閉塞位置に配置された状態であり、
前記仕切り板の前記第２の姿勢は、前記仕切り板が前記閉塞位置の前方の開放位置に配置された状態である、請求項１記載の壁面収納装置。
【請求項３】
前記仕切り板が、横方向に延びる回動軸線まわりに回動可能に設けられており、
前記仕切り板の前記第１の姿勢は、前記仕切り板が閉塞位置に配置された状態であり、
前記仕切り板が、前記閉塞位置から前記回動軸線まわりに回動した開放位置に配置された状態である、請求項１に記載の壁面収納装置。
【請求項４】
前記仕切り板が、閉塞位置に着脱可能に取り付けられている、請求項１に記載の壁面収納装置。
【請求項５】
前記第２の収納空間が前記第１の収納空間の下方に配置されている、請求項１〜４のいずれか一項に記載の壁面収納装置。
【発明の詳細な説明】
【技術分野】
【０００１】
本発明は、壁面に収納空間を設ける壁面収納装置に関する。
【背景技術】
【０００２】
住宅等の壁面に設置されるニッチ開口が知られている。下記特許文献では、ニッチの周囲の壁の内部に、収納部が設けられている。
【先行技術文献】
【特許文献】
【０００３】
【特許文献１】特許第２８６６６０５号公報
【発明の概要】
【発明が解決しようとする課題】
【０００４】
しかしながら、特許文献１に記載の収納部は、壁の内部に収納部があると容易にわかる構造である。収納部に収納される収納物が、トイレ内の掃除道具や生理用品等、他人に見られたくない物である場合、壁の内部に収納部があると容易にわかる構造だと、他人がその収納部を勝手に開けた場合に、その収納物（掃除道具や生理用品）を他人に見られてしまうおそれがある。したがって、壁の内部に収納空間を設けるとともに、その収納空間（収納部）の存在を外から認識できないようにする必要がある。
【０００５】
そこでこの発明の目的は、外側から存在を認識できない収納空間を、壁の内部に設けることができる壁面収納装置を提供することである。
【課題を解決するための手段】
【０００６】
本発明は、壁面に設けられ、前面が開放する第１の収納空間と、前記第１の収納空間に隣接して前記壁面に設けられ、前面が閉塞する第２の収納空間と、前記第１の収納空間と、前記第２の収納空間との間を仕切るための仕切り板であって、前記第１の収納空間と前記第２の収納空間と遮断する第１の姿勢と、前記第１の収納空間と前記第２の収納空間とを連通する第２姿勢との間で姿勢変更可能に設けられた仕切り板とを含む、壁面収納装置を提供する。
【０００７】
この発明の一実施形態では前記仕切り板が、前後方向にスライド可能に設けられており、前記仕切り板の前記第１の姿勢は、前記仕切り板が閉塞位置に配置された状態であり、前記仕切り板の前記第２の姿勢は、前記仕切り板が前記閉塞位置の前方の開放位置に配置された状態である。
この発明の他の実施形態では、前記仕切り板が、横方向に延びる回動軸線まわりに回動可能に設けられており、前記仕切り板の前記第１の姿勢は、前記仕切り板が閉塞位置に配置された状態であり、前記仕切り板が、前記閉塞位置から前記回動軸線まわりに回動した開放位置に配置された状態である。
【０００８】
この発明のさらに他の実施形態では、前記仕切り板が、閉塞位置に着脱可能に取り付けられている。
この発明の一実施形態では、前記第２の収納空間が前記第１の収納空間の下方に配置されている。
【発明の効果】
【０００９】
本発明によれば、前面が開放する第１の収納空間と、前面が閉塞する第２の収納空間とが互いに連通可能に設けられている。そして、第１の収納空間と、第２の収納空間との間が、仕切り板によって仕切り可能である。仕切り板の姿勢を、第１の姿勢と、第２の姿勢とで変えることにより、第１の収納空間と第２の収納空間とが遮断される遮断状態と、第１の収納空間と第２の収納空間とが連通される連通状態と、を、切り換えることができる。
これにより、外側から存在を認識できない収納空間（第２の収納空間）を、壁の内部に設けることができる。加えて、その収納空間に対する収納品の出し入れを容易に行うこともできる。
【図面の簡単な説明】
【００１０】
【図１】本発明の第１の実施形態に係る壁面収納装置の斜視図である。
【図２】前記壁面収納装置の開状態を示す斜視図である。
【図３】前記壁面収納装置の平面図である。
【図４】前記壁面収納装置の分解斜視図である。
【図５】前記壁面収納装置を、図３の切断面線Ａ−Ａで切断した断面図である。
【図６】前記壁面収納装置の下収納空間に生理用品を収納した例の斜視図である。
【図７】前記壁面収納装置の下収納空間に掃除道具を収納した例の斜視図である。
【図８】前記壁面収納装置の下収納空間にコンセントを設置し、無線ＬＡＮ機器やコードを収納した例の斜視図である。
【図９】前記壁面収納装置の下収納空間にコンセントを設置し、無線ＬＡＮ機器やコードを収納した例の斜視図である。
【図１０】第１の実施形態の第１の変形例を示す斜視図である。
【図１１】第１の実施形態の第１の変形例を示す斜視図である。
【図１２】第１の実施形態の第２の変形例を示す斜視図である。
【図１３】本発明の第２の実施形態に係る壁面収納装置の斜視図である。
【図１４】本発明の第２の実施形態に係る壁面収納装置の断面図である。
【図１５】本発明の第２の実施形態に係る壁面収納装置の下収納空間に貴重品を収納した例の斜視図である。
【図１６】本発明の第３の実施形態に係る壁面収納装置の斜視図である。
【図１７】本発明の第３の実施形態に係る壁面収納装置の断面図である。
【図１８】第３の実施形態の変形例を示す斜視図である。
【図１９】第３の実施形態の変形例の断面図である。
【図２０】第３の実施形態の変形例の斜視図である。
【図２１】本発明のさらなる変形例の斜視図である。
【図２２】本発明のさらなる変形例の斜視図である。
【発明を実施するための形態】
【００１１】
本発明の実施の形態を図面を見ながら説明する。
図１は、本発明の第１の実施形態に係る壁面収納装置１の斜視図である。図２は、壁面収納装置１の開状態を示す斜視図である。図３は、壁面収納装置１の平面図である。図４は、壁面収納装置１の分解斜視図である。図５は、壁面収納装置１を、図３の切断面線Ａ−Ａで切断した断面図である。図６は、壁面収納装置１の下収納空間２に生理用品３を収納した例を示す斜視図である。図７は、壁面収納装置１の下収納空間２に掃除道具４を収納した例の斜視図である。図８は、壁面収納装置１の下収納空間２にコンセント５を設置し、無線ＬＡＮ機器６やコード７を収納した例の斜視図である。図９は、壁面収納装置１の下収納空間２にコンセント５を設置し、無線ＬＡＮ機器６やコード７を収納した例の斜視図である。図１〜図９を参照して、本発明の第１の実施形態について説明する。
【００１２】
壁面収納装置１は、壁面に設けられ、前面が開放する上収納空間８と、上収納空間８の下方に隣接して、壁面に設けられ、前面が閉塞する下収納空間２と、上収納空間８と下収納空間２との間を仕切るための仕切り板９と、を含む。
【００１３】
上収納空間８および下収納空間２は、前面壁１１と後面壁１２との間に形成されている。前面壁１１には、開口部１３が形成されている。開口部１３は、上収納空間８と、前面壁１１の前方の空間（以下、「前方空間」という。）と、を、連通する。前方空間に居る利用者は開口部１３を介して、上収納空間８にアクセス可能である。
図３および図５に示すように、前面壁１１と後面壁１２との間には、下収納空間２を区画する収納部１４が埋め込まれている。収納部１４は一対の側板１５と、一対の側板１５の間に架け渡された底板１６と、下収納空間２の前面を覆う前面板１７と、下収納空間２の背面を覆う背面板１８と、を含む。
【００１４】
図４に示すように、収納部１４は、前面壁１１と後面壁１２との間の内部において、開口部１３の下辺と、前面板１７の上辺、側板１５の上辺および背面板１８の上辺とが、互いに揃うように設けられている。開口部１３の下辺と、前面板１７の上辺、側板１５の上辺および背面板１８の上辺を四角環状（口の字状）の板１９で覆い、収納部１４の上開口と開口部１３の下辺との高さが揃っている。板１９の上に、上収納空間８に設置する収納具の底板としての役割を有する仕切り板９を設ける。仕切り板９は、上収納空間８に設置する収納具の底板として外観上見えるように設置する。
【００１５】
仕切り板９は、前後方向にスライド可能に設けられている。仕切り板９は、上収納空間８と下収納空間２の収納部１４とを連通する連通口１０を開閉する。具体的には、仕切り板９は、連通口１０を閉塞する閉塞位置（第１の姿勢。図１参照）と、閉塞位置の前方に配置され連通口１０を開放する開放位置（第２の姿勢。図２参照）との間でスライド可能に設けられている。仕切り板９は、スライドレール２０によって、前後に引き出し可能に支持されている。
【００１６】
本実施形態の収納部１４は、前面壁１１と後面壁１２との間の内部に設置するため奥行寸法が浅く設けられている。しかし、高さが十分にとれるため、掃除道具４（図７参照）、コード７（図８参照）や、本（図示しない）などを収納することが可能である。
【００１７】
トイレ内において、図６、図７のように、本実施の形態の壁面収納装置1を備えた上収納空間８にニッチ２２、前面に扉がついているキャビネット２３等の収納具を設置すると、収納具には花や小物などの装飾品を飾れ、また消臭剤や便座除菌シート等、目に触れてよいものを収納でき、従来の収納の容量を維持できる。
さらに、下収納空間２の収納部１４には、他人に見られたくない生理用品３（図６参照）や掃除道具４（図７参照）等が収納される。下収納空間２の収納部１４は、前面が閉塞されている。そのため、壁の内部に収納部１４が存在していることを容易に認識できない（隠蔽性が高い）。下収納空間２の収納部１４への収納は、下収納空間２に連通する上収納空間８から、連通口１０を介して行う。
【００１８】
また、上収納空間８に設置した収納具である引き出し付き収納棚２４（図２５参照）にも収納が可能である。
この発明の一実施形態によれば、前面が開放する上収納空間８と、前面が閉塞する下収納空間２と、が互いに連通可能に、上下に設けられている。そして、上収納空間８と下収納空間２との間が、仕切り板９によって仕切り可能である。仕切り板９の姿勢を、閉塞位置（図１参照）と開放位置（図２参照）との間で変えることにより上収納空間８と下収納空間２とが遮断される遮断状態と、上収納空間８と下収納空間２とが連通される連通状態とを、切り換えることができる。
これにより、外側から存在を認識できない収納空間（下収納空間２）を、壁の内部に設けることができる。加えて、その収納空間に対する収納品の出し入れを容易に行うこともできる。
図１０、図１１および図１２に示すように、壁面収納装置１のスライドレールとして、コの字のスライドレール３１を採用してもよい。
【００１９】
すなわち、本実施の形態の壁面収納装置１は、下収納空間２の収納部１４自体も隠蔽できるので、隠蔽性の高い収納具である。そのため、下収納空間２の収納部１４に、貴重品２１（図１５参照）なども収納できる。
【００２０】
さらに、図１８のように、下収納空間２の収納部１４の中に、仏壇や引き出しを備えて仏具２５を収納すれば、使用時（必要なとき）に収納部１４を引き上げる、それ以外のときは、下収納空間２の中に収納しておくことができる。これにより、リビングに設置していても普段の生活で目に触れることがないため、仏壇を移動させる必要がなく美観を損ねない。また、上収納空間８には写真や装飾品を飾ることもできる。
【００２１】
図８に示すように、下収納空間２の収納部１４の内部にコンセント５を設置する場合には、収納部１４の内部に、無線ＬＡＮ機器６等を、プラグ２６、コード７とともに収納する。
コード７やコンセント５を収納部１４に収納するため、埃がたまりにくく、また見た目が悪いコード７などを隠蔽できる。そのため掃除の回数を減らせ、部屋の美観も損ねない。
また、上収納空間８には、時計２７（図８参照）などの装飾品を飾ることができる。
【００２２】
また、図９のように仕切り板９に穴２８を形成し、下収納空間８の収納部１４に設置したコンセント５から電源を取り、コード５を穴２８から出すと上収納空間８に置いてある携帯電話２９や充電式受話器３０の充電ができる。
プラグ２６やコード５は、下収納空間２の収納部１４に収納できるので設置していても見た目が良い。
使わないときは、収納部１４に全て収納できる。
【００２３】
図１３は、本発明の第２の実施形態に係る壁面収納装置１の斜視図である。図１４は、第２の実施形態に係る壁面収納装置１の断面図である。図１５は、第２の実施形態に係る壁面収納装置１の下収納空間８に貴重品２１を収納した例の斜視図である。
第２の実施形態が第１の実施形態と相違する点は、仕切り板９が、水平方向に延びる回動軸線３２まわりに回動可能に設けられている点である。仕切り板９は、閉塞位置（図１４に破線で示す位置）と、開放位置（図１４に実線で示す位置）との間で、回動軸線３２まわりに回動可能である。
【００２４】
図１６は、本発明の第３の実施形態に係る壁面収納装置１の斜視図である。図１７は、第３の実施形態に係る壁面収納装置１の断面図である。
第３の実施形態が第１の実施形態と相違する点は、仕切り板９が、閉塞位置（図１７に破線で示す位置）に着脱可能に取り付けられている点である。仕切り板９は、閉塞位置と開放位置（図１７に実線で示す位置）との間で、利用者によって着脱される。
【００２５】
この第３の実施形態において、図１８〜図２０に示すように、仕切り板９と、下収納空間２の収納部１４とを一体化させてもよい。具体的には、図１８や図１９のように、一または複数の棚板を有する棚箱が仕切り板９に一体化されてもよい。また、図２０のように、仏壇や仏具２５等の収納部１４が仕切り板９に一体化されてもよい。
また、第１〜第３の実施形態において、モーター等の電動機の動力を用いて収納部１４の昇降を行うようにしてもよい。
また、前面が閉塞された収納空間（第２の収納空間）として下収納空間２を設け、前面が開放された収納空間（第１の収納空間）として上収納空間８を設けたが、収納空間の上下が逆にされていてもよい。
さらには、図２１および図２２に示すように、前面が閉塞された収納空間（第２の収納空間）と、前面が開放された収納空間（第１の収納空間）とが左右に並んでいてもよい。
本発明の説明は以上になるが、本発明は、請求項範囲内で適宜交換可能である。
【符号の説明】
【００２６】
１  壁面収納装置
２  下収納空間
３  生理用品
４  掃除道具
５  コンセント
６  無線ＬＡＮ機器
７  コード
８  上収納空間
９  仕切り板
１０  連通口
１１  前面壁
１２  後面壁
１３  開口部
１４  収納部
１５  側板
１６  底板
１７  前面板
１８  背面板
１９  板
２０  スライドレール
２１  貴重品
２２  ニッチ
２３  キャビネット
２４  引き出し付き収納棚
２５  仏具
２６  プラグ
２７  時計
２８  穴
２９  携帯電話
３０  充電式受話器
３１  コの字のスライドレール
３２  回動軸線
【図１】
2020153061.tif 000003
【図２】
2020153061.tif 000004
【図３】
2020153061.tif 000005
【図４】
2020153061.tif 000006
【図５】
2020153061.tif 000007
【図６】
2020153061.tif 000008
【図７】
2020153061.tif 000009
【図８】
2020153061.tif 000010
【図９】
2020153061.tif 000011
【図１０】
2020153061.tif 000012
【図１１】
2020153061.tif 000013
【図１２】
2020153061.tif 000014
【図１３】
2020153061.tif 000015
【図１４】
2020153061.tif 000016
【図１５】
2020153061.tif 000017
【図１６】
2020153061.tif 000018
【図１７】
2020153061.tif 000019
【図１８】
2020153061.tif 000020
【図１９】
2020153061.tif 000021
【図２０】
2020153061.tif 000022
【図２１】
2020153061.tif 000023
【図２２】
2020153061.tif 000024
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
壁面に設けられ、前面が開放する第１の収納空間と、
前記第１の収納空間に隣接して、前記壁面に設けられ、外側から存在を認識できないように壁の内部に埋め込まれていることにより前面が閉塞する第２の収納空間と、
前記第１の収納空間と、前記第２の収納空間との間を仕切るための仕切り板であって、前記第１の収納空間と前記第２の収納空間と遮断する第１の姿勢と、前記第１の収納空間と前記第２の収納空間とを連通する第２の姿勢との間で姿勢変更可能に設けられた仕切り板とを含む、壁面収納装置。
【請求項２】
前記仕切り板が、前後方向にスライド可能に設けられており、
前記仕切り板の前記第１の姿勢は、前記仕切り板が閉塞位置に配置された状態であり、
前記仕切り板の前記第２の姿勢は、前記仕切り板が前記閉塞位置の前方の開放位置に配置された状態である、請求項１記載の壁面収納装置。
【請求項３】
前記仕切り板が、横方向に延びる回動軸線まわりに回動可能に設けられており、
前記仕切り板の前記第１の姿勢は、前記仕切り板が閉塞位置に配置された状態であり、
前記仕切り板の前記第２の姿勢は、前記閉塞位置から前記回動軸線まわりに回動した開放位置に配置された状態である、請求項１に記載の壁面収納装置。
【請求項４】
前記仕切り板が、閉塞位置に着脱可能に取り付けられている、請求項１に記載の壁面収納装置。
【請求項５】
前記第２の収納空間が前記第１の収納空間の下方または上方、または左右に配置されている、請求項１〜４のいずれか一項に記載の壁面収納装置。
【請求項６】
前記第２の収納空間の中に収納部が設けられており、前記収納部が前記第２の収納空間から前記第１の収納空間に移動可能である、請求項１〜５に記載の壁面収納装置。
【請求項７】
前記収納部が、電動機の動力を用いて前記第２の収納空間から前記第１の収納空間に移動可能である、請求項６に記載の壁面収納装置。
【請求項８】
前記仕切り板と前記収納部とを一体化させた請求項１に記載の壁面収納装置。
【手続補正２】
【補正対象書類名】明細書
【補正対象項目名】全文
【補正方法】変更
【補正の内容】
【発明の詳細な説明】
【技術分野】
【０００１】
本発明は、壁面に収納空間を設ける壁面収納装置に関する。
【背景技術】
【０００２】
住宅等の壁面に設置されるニッチ開口が知られている。下記特許文献では、ニッチの周囲の壁の内部に、収納部が設けられている。
【先行技術文献】
【特許文献】
【０００３】
【特許文献１】特許第２８６６６０５号公報
【発明の概要】
【発明が解決しようとする課題】
【０００４】
しかしながら、特許文献１に記載の収納部は、壁の内部に収納部があると容易にわかる構造である。収納部に収納される収納物が、トイレ内の掃除道具や生理用品等、他人に見られたくない物である場合、壁の内部に収納部があると容易にわかる構造だと、他人がその収納部を勝手に開けた場合に、その収納物（掃除道具や生理用品）を他人に見られてしまうおそれがある。したがって、壁の内部に収納空間を設けるとともに、その収納空間（収納部）の存在を外から認識できないようにする必要がある。
【０００５】
そこでこの発明の目的は、外側から存在を認識できない収納空間を、壁の内部に設けることができる壁面収納装置を提供することである。
【課題を解決するための手段】
【０００６】
本発明は、壁面に設けられ、前面が開放する第１の収納空間と、前記第１の収納空間に隣接して前記壁面に設けられ、外側から存在を認識できないように壁の内部に埋め込まれていることにより前面が閉塞する第２の収納空間と、前記第１の収納空間と、前記第２の収納空間との間を仕切るための仕切り板であって、前記第１の収納空間と前記第２の収納空間と遮断する第１の姿勢と、前記第１の収納空間と前記第２の収納空間とを連通する第２の姿勢との間で姿勢変更可能に設けられた仕切り板とを含む、壁面収納装置を提供する。
【０００７】
この発明の一実施形態では前記仕切り板が、前後方向にスライド可能に設けられており、前記仕切り板の前記第１の姿勢は、前記仕切り板が閉塞位置に配置された状態であり、前記仕切り板の前記第２の姿勢は、前記仕切り板が前記閉塞位置の前方の開放位置に配置された状態である。
この発明の他の実施形態では、前記仕切り板が、横方向に延びる回動軸線まわりに回動可能に設けられており、前記仕切り板の前記第１の姿勢は、前記仕切り板が閉塞位置に配置された状態であり、前記仕切り板の前記第２の姿勢は、前記閉塞位置から前記回動軸線まわりに回動した開放位置に配置された状態である。
【０００８】
この発明のさらに他の実施形態では、前記仕切り板が、閉塞位置に着脱可能に取り付けられている。
この発明の一実施形態では、前記第２の収納空間が前記第１の収納空間の下方または上方、または左右に配置されている。
この発明の実施形態では、前記第２の収納空間の中に収納部が設けられており、前記収納部が前記第２の収納空間から前記第１の収納空間に移動可能である。
この発明の実施形態では、前記収納部が、電動機の動力を用いて前記第２の収納空間から前記第１の収納空間に移動可能である。
この発明の実施形態では、前記仕切り板と前記収納部とが一体化されている。
【発明の効果】
【０００９】
本発明によれば、前面が開放する第１の収納空間と、前面が閉塞する第２の収納空間とが互いに連通可能に設けられている。そして、第１の収納空間と、第２の収納空間との間が、仕切り板によって仕切り可能である。仕切り板の姿勢を、第１の姿勢と、第２の姿勢とで変えることにより、第１の収納空間と第２の収納空間とが遮断される遮断状態と、第１の収納空間と第２の収納空間とが連通される連通状態と、を、切り換えることができる。
これにより、外側から存在を認識できない収納空間（第２の収納空間）を、壁の内部に設けることができる。加えて、その収納空間に対する収納品の出し入れを容易に行うこともできる。
【図面の簡単な説明】
【００１０】
【図１】本発明の第１の実施形態に係る壁面収納装置の斜視図である。
【図２】前記壁面収納装置の開状態を示す斜視図である。
【図３】前記壁面収納装置の平面図である。
【図４】前記壁面収納装置の分解斜視図である。
【図５】前記壁面収納装置を、図３の切断面線Ａ−Ａで切断した断面図である。
【図６】前記壁面収納装置の下収納空間に生理用品を収納した例の斜視図である。
【図７】前記壁面収納装置の下収納空間に掃除道具を収納した例の斜視図である。
【図８】前記壁面収納装置の下収納空間にコンセントを設置し、無線ＬＡＮ機器やコードを収納した例の斜視図である。
【図９】前記壁面収納装置の下収納空間にコンセントを設置し、無線ＬＡＮ機器やコードを収納した例の斜視図である。
【図１０】第１の実施形態の第１の変形例を示す斜視図である。
【図１１】第１の実施形態の第１の変形例を示す斜視図である。
【図１２】第１の実施形態の第２の変形例を示す斜視図である。
【図１３】本発明の第２の実施形態に係る壁面収納装置の斜視図である。
【図１４】本発明の第２の実施形態に係る壁面収納装置の断面図である。
【図１５】本発明の第２の実施形態に係る壁面収納装置の下収納空間に貴重品を収納した例の斜視図である。
【図１６】本発明の第３の実施形態に係る壁面収納装置の斜視図である。
【図１７】本発明の第３の実施形態に係る壁面収納装置の断面図である。
【図１８】第３の実施形態の変形例を示す斜視図である。
【図１９】第３の実施形態の変形例の断面図である。
【図２０】第３の実施形態の変形例の斜視図である。
【図２１】本発明のさらなる変形例の斜視図である。
【図２２】本発明のさらなる変形例の斜視図である。
【発明を実施するための形態】
【００１１】
本発明の実施の形態を図面を見ながら説明する。
図１は、本発明の第１の実施形態に係る壁面収納装置１の斜視図である。図２は、壁面収納装置１の開状態を示す斜視図である。図３は、壁面収納装置１の平面図である。図４は、壁面収納装置１の分解斜視図である。図５は、壁面収納装置１を、図３の切断面線Ａ−Ａで切断した断面図である。図６は、壁面収納装置１の下収納空間２に生理用品３を収納した例を示す斜視図である。図７は、壁面収納装置１の下収納空間２に掃除道具４を収納した例の斜視図である。図８は、壁面収納装置１の下収納空間２にコンセント５を設置し、無線ＬＡＮ機器６やコード７を収納した例の斜視図である。図９は、壁面収納装置１の下収納空間２にコンセント５を設置し、無線ＬＡＮ機器６やコード７を収納した例の斜視図である。図１〜図９を参照して、本発明の第１の実施形態について説明する。
【００１２】
壁面収納装置１は、壁面に設けられ、前面が開放する上収納空間８と、上収納空間８の下方に隣接して、壁面に設けられ、前面が閉塞する下収納空間２と、上収納空間８と下収納空間２との間を仕切るための仕切り板９と、を含む。
【００１３】
上収納空間８および下収納空間２は、前面壁１１と後面壁１２との間に形成されている。前面壁１１には、開口部１３が形成されている。開口部１３は、上収納空間８と、前面壁１１の前方の空間（以下、「前方空間」という。）と、を、連通する。前方空間に居る利用者は開口部１３を介して、上収納空間８にアクセス可能である。
図３および図５に示すように、前面壁１１と後面壁１２との間には、下収納空間２を区画する収納部１４が埋め込まれている。収納部１４は一対の側板１５と、一対の側板１５の間に架け渡された底板１６と、下収納空間２の前面を覆う前面板１７と、下収納空間２の背面を覆う背面板１８と、を含む。
【００１４】
図４に示すように、収納部１４は、前面壁１１と後面壁１２との間の内部において、開口部１３の下辺と、前面板１７の上辺、側板１５の上辺および背面板１８の上辺とが、互いに揃うように設けられている。開口部１３の下辺と、前面板１７の上辺、側板１５の上辺および背面板１８の上辺を四角環状（口の字状）の板１９で覆い、収納部１４の上開口と開口部１３の下辺との高さが揃っている。板１９の上に、上収納空間８に設置する収納具の底板としての役割を有する仕切り板９を設ける。仕切り板９は、上収納空間８に設置する収納具の底板として外観上見えるように設置する。
【００１５】
仕切り板９は、前後方向にスライド可能に設けられている。仕切り板９は、上収納空間８と下収納空間２の収納部１４とを連通する連通口１０を開閉する。具体的には、仕切り板９は、連通口１０を閉塞する閉塞位置（第１の姿勢。図１参照）と、閉塞位置の前方に配置され連通口１０を開放する開放位置（第２の姿勢。図２参照）との間でスライド可能に設けられている。仕切り板９は、スライドレール２０によって、前後に引き出し可能に支持されている。
【００１６】
本実施形態の収納部１４は、前面壁１１と後面壁１２との間の内部に設置するため奥行寸法が浅く設けられている。しかし、高さが十分にとれるため、掃除道具４（図７参照）、コード７（図８参照）や、本（図示しない）などを収納することが可能である。
【００１７】
トイレ内において、図６、図７のように、本実施の形態の壁面収納装置1を備えた上収納空間８にニッチ２２、前面に扉がついているキャビネット２３等の収納具を設置すると、収納具には花や小物などの装飾品を飾れ、また消臭剤や便座除菌シート等、目に触れてよいものを収納でき、従来の収納の容量を維持できる。
さらに、下収納空間２の収納部１４には、他人に見られたくない生理用品３（図６参照）や掃除道具４（図７参照）等が収納される。下収納空間２の収納部１４は、前面が閉塞されている。そのため、壁の内部に収納部１４が存在していることを容易に認識できない（隠蔽性が高い）。下収納空間２の収納部１４への収納は、下収納空間２に連通する上収納空間８から、連通口１０を介して行う。
【００１８】
また、上収納空間８に設置した収納具である引き出し付き収納棚２４（図２５参照）にも収納が可能である。
この発明の一実施形態によれば、前面が開放する上収納空間８と、前面が閉塞する下収納空間２と、が互いに連通可能に、上下に設けられている。そして、上収納空間８と下収納空間２との間が、仕切り板９によって仕切り可能である。仕切り板９の姿勢を、閉塞位置（図１参照）と開放位置（図２参照）との間で変えることにより上収納空間８と下収納空間２とが遮断される遮断状態と、上収納空間８と下収納空間２とが連通される連通状態とを、切り換えることができる。
これにより、外側から存在を認識できない収納空間（下収納空間２）を、壁の内部に設けることができる。加えて、その収納空間に対する収納品の出し入れを容易に行うこともできる。
図１０、図１１および図１２に示すように、壁面収納装置１のスライドレールとして、コの字のスライドレール３１を採用してもよい。
【００１９】
すなわち、本実施の形態の壁面収納装置１は、下収納空間２の収納部１４自体も隠蔽できるので、隠蔽性の高い収納具である。そのため、下収納空間２の収納部１４に、貴重品２１（図１５参照）なども収納できる。
【００２０】
さらに、図１８のように、下収納空間２の収納部１４の中に、仏壇や引き出しを備えて仏具２５を収納すれば、使用時（必要なとき）に収納部１４を引き上げる、それ以外のときは、下収納空間２の中に収納しておくことができる。これにより、リビングに設置していても普段の生活で目に触れることがないため、仏壇を移動させる必要がなく美観を損ねない。また、上収納空間８には写真や装飾品を飾ることもできる。
【００２１】
図８に示すように、下収納空間２の収納部１４の内部にコンセント５を設置する場合には、収納部１４の内部に、無線ＬＡＮ機器６等を、プラグ２６、コード７とともに収納する。
コード７やコンセント５を収納部１４に収納するため、埃がたまりにくく、また見た目が悪いコード７などを隠蔽できる。そのため掃除の回数を減らせ、部屋の美観も損ねない。
また、上収納空間８には、時計２７（図８参照）などの装飾品を飾ることができる。
【００２２】
また、図９のように仕切り板９に穴２８を形成し、下収納空間８の収納部１４に設置したコンセント５から電源を取り、コード５を穴２８から出すと上収納空間８に置いてある携帯電話２９や充電式受話器３０の充電ができる。
プラグ２６やコード５は、下収納空間２の収納部１４に収納できるので設置していても見た目が良い。
使わないときは、収納部１４に全て収納できる。
【００２３】
図１３は、本発明の第２の実施形態に係る壁面収納装置１の斜視図である。図１４は、第２の実施形態に係る壁面収納装置１の断面図である。図１５は、第２の実施形態に係る壁面収納装置１の下収納空間８に貴重品２１を収納した例の斜視図である。
第２の実施形態が第１の実施形態と相違する点は、仕切り板９が、水平方向に延びる回動軸線３２まわりに回動可能に設けられている点である。仕切り板９は、閉塞位置（図１４に破線で示す位置）と、開放位置（図１４に実線で示す位置）との間で、回動軸線３２まわりに回動可能である。
【００２４】
図１６は、本発明の第３の実施形態に係る壁面収納装置１の斜視図である。図１７は、第３の実施形態に係る壁面収納装置１の断面図である。
第３の実施形態が第１の実施形態と相違する点は、仕切り板９が、閉塞位置（図１７に破線で示す位置）に着脱可能に取り付けられている点である。仕切り板９は、閉塞位置と開放位置（図１７に実線で示す位置）との間で、利用者によって着脱される。
【００２５】
この第３の実施形態において、図１８〜図２０に示すように、仕切り板９と、下収納空間２の収納部１４とを一体化させてもよい。具体的には、図１８や図１９のように、一または複数の棚板を有する棚箱が仕切り板９に一体化されてもよい。また、図２０のように、仏壇や仏具２５等の収納部１４が仕切り板９に一体化されてもよい。
また、第１〜第３の実施形態において、モーター等の電動機の動力を用いて収納部１４の昇降を行うようにしてもよい。
また、前面が閉塞された収納空間（第２の収納空間）として下収納空間２を設け、前面が開放された収納空間（第１の収納空間）として上収納空間８を設けたが、収納空間の上下が逆にされていてもよい。
さらには、図２１および図２２に示すように、前面が閉塞された収納空間（第２の収納空間）と、前面が開放された収納空間（第１の収納空間）とが左右に並んでいてもよい。
本発明の説明は以上になるが、本発明は、請求項範囲内で適宜交換可能である。
【符号の説明】
【００２６】
１  壁面収納装置
２  下収納空間
３  生理用品
４  掃除道具
５  コンセント
６  無線ＬＡＮ機器
７  コード
８  上収納空間
９  仕切り板
１０  連通口
１１  前面壁
１２  後面壁
１３  開口部
１４  収納部
１５  側板
１６  底板
１７  前面板
１８  背面板
１９  板
２０  スライドレール
２１  貴重品
２２  ニッチ
２３  キャビネット
２４  引き出し付き収納棚
２５  仏具
２６  プラグ
２７  時計
２８  穴
２９  携帯電話
３０  充電式受話器
３１  コの字のスライドレール
３２  回動軸線
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
壁面に設けられ、前面が開放する第１の収納空間と、
前記第１の収納空間と、前面壁の前方の空間と、を、連通する開口部と、
前記第１の収納空間に隣接して、前記壁面に設けられ、外側から存在を認識できないように壁の内部に埋め込まれていることにより前面が閉塞する第２の収納空間と、
前記第１の収納空間と、前記第２の収納空間との間を仕切るための仕切り板であって、前記第１の収納空間と前記第２の収納空間と遮断する第１の姿勢と、前記第１の収納空間と前記第２の収納空間とを連通する第２の姿勢との間で姿勢変更可能に設けられた仕切り板とを含み、
前記第１の収納空間と前記第２の収納空間における境界の前記開口部の一辺と、前記第２の収納空間を区画する収納部のうち、
前記第１の収納空間に隣接する辺が、四角環状の板で覆われており、前記四角環状の板と前記仕切り板とが接している、壁面収納装置。
【請求項２】
前記仕切り板が、前後方向にスライド可能に設けられており、
前記仕切り板の前記第１の姿勢は、前記仕切り板が閉塞位置に配置された状態であり、
前記仕切り板の前記第２の姿勢は、前記仕切り板が前記閉塞位置の前方の開放位置に配置された状態である、請求項１記載の壁面収納装置。
【請求項３】
前記仕切り板が、前記第１の収納空間と、前記第２の収納空間との境界部の一辺方向に延びる回動軸線まわりに回動可能に設けられており、
前記仕切り板の前記第１の姿勢は、前記仕切り板が閉塞位置に配置された状態であり、
前記仕切り板の前記第２の姿勢は、前記閉塞位置から前記回動軸線まわりに回動した開放位置に配置された状態である、請求項１に記載の壁面収納装置。
【請求項４】
前記仕切り板が、閉塞位置に着脱可能に取り付けられている、請求項１に記載の壁面収納装置。
【請求項５】
前記第２の収納空間が前記第１の収納空間の下方または上方、または左右に配置されている、請求項１〜４のいずれか一項に記載の壁面収納装置。
【請求項６】
前記収納部が前記第２の収納空間から前記第１の収納空間に移動可能である、請求項１〜５に記載の壁面収納装置。
【請求項７】
前記収納部が、電動機の動力を用いて前記第２の収納空間から前記第１の収納空間に移動可能である、請求項６に記載の壁面収納装置。
【請求項８】
前記仕切り板と前記収納部とを一体化させた請求項１に記載の壁面収納装置。
【手続補正２】
【補正対象書類名】明細書
【補正対象項目名】全文
【補正方法】変更
【補正の内容】
【発明の詳細な説明】
【技術分野】
【０００１】
本発明は、壁面に収納空間を設ける壁面収納装置に関する。
【背景技術】
【０００２】
住宅等の壁面に設置されるニッチ開口が知られている。下記特許文献では、ニッチの周囲の壁の内部に、収納部が設けられている。
【先行技術文献】
【特許文献】
【０００３】
【特許文献１】特許第２８６６６０５号公報
【発明の概要】
【発明が解決しようとする課題】
【０００４】
しかしながら、特許文献１に記載の収納部は、壁の内部に収納部があると容易にわかる構造である。収納部に収納される収納物が、トイレ内の掃除道具や生理用品等、他人に見られたくない物である場合、壁の内部に収納部があると容易にわかる構造だと、他人がその収納部を勝手に開けた場合に、その収納物（掃除道具や生理用品）を他人に見られてしまうおそれがある。したがって、壁の内部に収納空間を設けるとともに、その収納空間（収納部）の存在を外から認識できないようにする必要がある。
【０００５】
そこでこの発明の目的は、外側から存在を認識できない収納空間を、壁の内部に設けることができる壁面収納装置を提供することである。
【課題を解決するための手段】
【０００６】
本発明は、壁面に設けられ、前面が開放する第１の収納空間と、前記第１の収納空間と、前面壁の前方の空間と、を、連通する開口部と、前記第１の収納空間に隣接して前記壁面に設けられ、外側から存在を認識できないように壁の内部に埋め込まれていることにより前面が閉塞する第２の収納空間と、前記第１の収納空間と、前記第２の収納空間との間を仕切るための仕切り板であって、前記第１の収納空間と前記第２の収納空間と遮断する第１の姿勢と、前記第１の収納空間と前記第２の収納空間とを連通する第２の姿勢との間で姿勢変更可能に設けられた仕切り板とを含み、前記第１の収納空間と前記第２の収納空間における境界の前記開口部の一辺と、前記第２の収納空間を区画する収納部のうち、前記第１の収納空間に隣接する辺が、四角環状の板で覆われており、前記四角環状の板と前記仕切り板とが接している、壁面収納装置を提供する。
【０００７】
この発明の一実施形態では前記仕切り板が、前後方向にスライド可能に設けられており、前記仕切り板の前記第１の姿勢は、前記仕切り板が閉塞位置に配置された状態であり、前記仕切り板の前記第２の姿勢は、前記仕切り板が前記閉塞位置の前方の開放位置に配置された状態である。
この発明の他の実施形態では、前記仕切り板が、前記第１の収納空間と、前記第２の収納空間との境界部の一辺方向に延びる回動軸線まわりに回動可能に設けられており、前記仕切り板の前記第１の姿勢は、前記仕切り板が閉塞位置に配置された状態であり、前記仕切り板の前記第２の姿勢は、前記閉塞位置から前記回動軸線まわりに回動した開放位置に配置された状態である。
【０００８】
この発明のさらに他の実施形態では、前記仕切り板が、閉塞位置に着脱可能に取り付けられている。
この発明の一実施形態では、前記第２の収納空間が前記第１の収納空間の下方または上方、または左右に配置されている。
この発明の実施形態では、前記収納部が前記第２の収納空間から前記第１の収納空間に移動可能である。
この発明の実施形態では、前記収納部が、電動機の動力を用いて前記第２の収納空間から前記第１の収納空間に移動可能である。
この発明の実施形態では、前記仕切り板と前記収納部とが一体化されている。
【発明の効果】
【０００９】
本発明によれば、前面が開放する第１の収納空間と、前面が閉塞する第２の収納空間とが互いに連通可能に設けられている。そして、第１の収納空間と、第２の収納空間との間が、仕切り板によって仕切り可能である。仕切り板の姿勢を、第１の姿勢と、第２の姿勢とで変えることにより、第１の収納空間と第２の収納空間とが遮断される遮断状態と、第１の収納空間と第２の収納空間とが連通される連通状態と、を、切り換えることができる。
これにより、外側から存在を認識できない収納空間（第２の収納空間）を、壁の内部に設けることができる。加えて、その収納空間に対する収納品の出し入れを容易に行うこともできる。
【図面の簡単な説明】
【００１０】
【図１】本発明の第１の実施形態に係る壁面収納装置の斜視図である。
【図２】前記壁面収納装置の開状態を示す斜視図である。
【図３】前記壁面収納装置の平面図である。
【図４】前記壁面収納装置の分解斜視図である。
【図５】前記壁面収納装置を、図３の切断面線Ａ−Ａで切断した断面図である。
【図６】前記壁面収納装置の下収納空間に生理用品を収納した例の斜視図である。
【図７】前記壁面収納装置の下収納空間に掃除道具を収納した例の斜視図である。
【図８】前記壁面収納装置の下収納空間にコンセントを設置し、無線■ＡＮ機器やコードを収納した例の斜視図である。
【図９】前記壁面収納装置の下収納空間にコンセントを設置し、無線ＬＡＮ機器やコードを収納した例の斜視図である。
【図１０】第１の実施形態の第１の変形例を示す斜視図である。
【図１１】第１の実施形態の第１の変形例を示す斜視図である。
【図１２】第１の実施形態の第２の変形例を示す斜視図である。
【図１３】本発明の第２の実施形態に係る壁面収納装置の斜視図である。
【図１４】本発明の第２の実施形態に係る壁面収納装置の断面図である。
【図１５】本発明の第２の実施形態に係る壁面収納装置の下収納空間に貴重品を収納した例の斜視図である。
【図１６】本発明の第３の実施形態に係る壁面収納装置の斜視図である。
【図１７】本発明の第３の実施形態に係る壁面収納装置の断面図である。
【図１８】第３の実施形態の変形例を示す斜視図である。
【図１９】第３の実施形態の変形例の断面図である。
【図２０】第３の実施形態の変形例の斜視図である。
【図２１】本発明のさらなる変形例の斜視図である。
【図２２】本発明のさらなる変形例の斜視図である。
【発明を実施するための形態】
【００１１】
本発明の実施の形態を図面を見ながら説明する。
図１は、本発明の第１の実施形態に係る壁面収納装置１の斜視図である。図２は、壁面収納装置１の開状態を示す斜視図である。図３は、壁面収納装置１の平面図である。図４は、壁面収納装置１の分解斜視図である。図５は、壁面収納装置１を、図３の切断面線Ａ−Ａで切断した断面図である。図６は、壁面収納装置１の下収納空間２に生理用品３を収納した例を示す斜視図である。図７は、壁面収納装置１の下収納空間２に掃除道具４を収納した例の斜視図である。図８は、壁面収納装置１の下収納空間２にコンセント５を設置し、無線ＬＡＮ機器６やコード７を収納した例の斜視図である。図９は、壁面収納装置１の下収納空間２にコンセント５を設置し、無線ＬＡＮ機器６やコード７を収納した例の斜視図である。図１〜図９を参照して、本発明の第１の実施形態について説明する。
【００１２】
壁面収納装置１は、壁面に設けられ、前面が開放する上収納空間８と、上収納空間８の下方に隣接して、壁面に設けられ、前面が閉塞する下収納空間２と、上収納空間８と下収納空間２との間を仕切るための仕切り板９と、を含む。
【００１３】
上収納空間８および下収納空間２は、前面壁１１と後面壁１２との間に形成されている。前面壁１１には、開口部１３が形成されている。開口部１３は、上収納空間８と、前面壁１１の前方の空間（以下、「前方空間」という。）と、を、連通する。前方空間に居る利用者は開口部１３を介して、上収納空間８にアクセス可能である。
図３および図５に示すように、前面壁１１と後面壁１２との間には、下収納空間２を区画する収納部１４が埋め込まれている。収納部１４は一対の側板１５と、一対の側板１５の間に架け渡された底板１６と、下収納空間２の前面を覆う前面板１７と、下収納空間２の背面を覆う背面板１８と、を含む。
【００１４】
図４に示すように、収納部１４は、前面壁１１と後面壁１２との間の内部において、開口部１３の下辺と、前面板１７の上辺、側板１５の上辺および背面板１８の上辺とが、互いに揃うように設けられている。開口部１３の下辺と、前面板１７の上辺、側板１５の上辺および背面板１８の上辺を四角環状（口の字状）の板１９で覆い、収納部１４の上開口と開口部１３の下辺との高さが揃っている。板１９の上に、上収納空間８に設置する収納具の底板としての役割を有する仕切り板９を設ける。仕切り板９は、上収納空間８に設置する収納具の底板として外観上見えるように設置する。
【００１５】
仕切り板９は、前後方向にスライド可能に設けられている。仕切り板９は、上収納空間８と下収納空間２の収納部１４とを連通する連通口１０を開閉する。具体的には、仕切り板９は、連通口１０を閉塞する閉塞位置（第１の姿勢。図１参照）と、閉塞位置の前方に配置され連通口１０を開放する開放位置（第２の姿勢。図２参照）との間でスライド可能に設けられている。仕切り板９は、スライドレール２０によって、前後に引き出し可能に支持されている。
【００１６】
本実施形態の収納部１４は、前面壁１１と後面壁１２との間の内部に設置するため奥行寸法が浅く設けられている。しかし、高さが十分にとれるため、掃除道具４（図７参照）、コード７（図８参照）や、本（図示しない）などを収納することが可能である。
【００１７】
トイレ内において、図６、図７のように、本実施の形態の壁面収納装置1を備えた上収納空間８にニッチ２２、前面に扉がついているキャビネット２３等の収納具を設置すると、収納具には花や小物などの装飾品を飾れ、また消臭剤や便座除菌シート等、目に触れてよいものを収納でき、従来の収納の容量を維持できる。
さらに、下収納空間２の収納部１４には、他人に見られたくない生理用品３（図６参照）や掃除道具４（図７参照）等が収納される。下収納空間２の収納部１４は、前面が閉塞されている。そのため、壁の内部に収納部１４が存在していることを容易に認識できない（隠蔽性が高い）。下収納空間２の収納部１４への収納は、下収納空間２に連通する上収納空間８から、連通口１０を介して行う。
【００１８】
また、上収納空間８に設置した収納具である引き出し付き収納棚２４（図２５参照）にも収納が可能である。
この発明の一実施形態によれば、前面が開放する上収納空間８と、前面が閉塞する下収納空間２と、が互いに連通可能に、上下に設けられている。そして、上収納空間８と下収納空間２との間が、仕切り板９によって仕切り可能である。仕切り板９の姿勢を、閉塞位置（図１参照）と開放位置（図２参照）との間で変えることにより上収納空間８と下収納空間２とが遮断される遮断状態と、上収納空間８と下収納空間２とが連通される連通状態とを、切り換えることができる。
これにより、外側から存在を認識できない収納空間（下収納空間２）を、壁の内部に設けることができる。加えて、その収納空間に対する収納品の出し入れを容易に行うこともできる。
図１０、図１１および図１２に示すように、壁面収納装置１のスライドレールとして、コの字のスライドレール３１を採用してもよい。
【００１９】
すなわち、本実施の形態の壁面収納装置１は、下収納空間２の収納部１４自体も隠蔽できるので、隠蔽性の高い収納具である。そのため、下収納空間２の収納部１４に、貴重品２１（図１５参照）なども収納できる。
【００２０】
さらに、図１８のように、下収納空間２の収納部１４の中に、仏壇や引き出しを備えて仏具２５を収納すれば、使用時（必要なとき）に収納部１４を引き上げる、それ以外のときは、下収納空間２の中に収納しておくことができる。これにより、リビングに設置していても普段の生活で目に触れることがないため、仏壇を移動させる必要がなく美観を損ねない。また、上収納空間８には写真や装飾品を飾ることもできる。
【００２１】
図８に示すように、下収納空間２の収納部１４の内部にコンセント５を設置する場合には、収納部１４の内部に、無線ＬＡＮ機器６等を、プラグ２６、コード７とともに収納する。
コード７やコンセント５を収納部１４に収納するため、埃がたまりにくく、また見た目が悪いコード７などを隠蔽できる。そのため掃除の回数を減らせ、部屋の美観も損ねない。
また、上収納空間８には、時計２７（図８参照）などの装飾品を飾ることができる。
【００２２】
また、図９のように仕切り板９に穴２８を形成し、下収納空間８の収納部１４に設置したコンセント５から電源を取り、コード５を穴２８から出すと上収納空間８に置いてある携帯電話２９や充電式受話器３０の充電ができる。
プラグ２６やコード５は、下収納空間２の収納部１４に収納できるので設置していても見た目が良い。
使わないときは、収納部１４に全て収納できる。
【００２３】
図１３は、本発明の第２の実施形態に係る壁面収納装置１の斜視図である。図１４は、第２の実施形態に係る壁面収納装置１の断面図である。図１５は、第２の実施形態に係る壁面収納装置１の下収納空間８に貴重品２１を収納した例の斜視図である。
第２の実施形態が第１の実施形態と相違する点は、仕切り板９が、水平方向に延びる回動軸線３２まわりに回動可能に設けられている点である。仕切り板９は、閉塞位置（図１４に破線で示す位置）と、開放位置（図１４に実線で示す位置）との間で、回動軸線３２まわりに回動可能である。
【００２４】
図１６は、本発明の第３の実施形態に係る壁面収納装置１の斜視図である。図１７は、第３の実施形態に係る壁面収納装置１の断面図である。
第３の実施形態が第１の実施形態と相違する点は、仕切り板９が、閉塞位置（図１７に破線で示す位置）に着脱可能に取り付けられている点である。仕切り板９は、閉塞位置と開放位置（図１７に実線で示す位置）との間で、利用者によって着脱される。
【００２５】
この第３の実施形態において、図１８〜図２０に示すように、仕切り板９と、下収納空間２の収納部１４とを一体化させてもよい。具体的には、図１８や図１９のように、一または複数の棚板を有する棚箱が仕切り板９に一体化されてもよい。また、図２０のように、仏壇や仏具２５等の収納部１４が仕切り板９に一体化されてもよい。
また、第１〜第３の実施形態において、モーター等の電動機の動力を用いて収納部１４の昇降を行うようにしてもよい。
また、前面が閉塞された収納空間（第２の収納空間）として下収納空間２を設け、前面が開放された収納空間（第１の収納空間）として上収納空間８を設けたが、収納空間の上下が逆にされていてもよい。
さらには、図２１および図２２に示すように、前面が閉塞された収納空間（第２の収納空間）と、前面が開放された収納空間（第１の収納空間）とが左右に並んでいてもよい。
本発明の説明は以上になるが、本発明は、請求項範囲内で適宜交換可能である。
【符号の説明】
【００２６】
１  壁面収納装置
２  下収納空間
３  生理用品
４  掃除道具
５  コンセント
６  無線ＬＡＮ機器
７  コード
８  上収納空間
９  仕切り板
１０  連通口
１１  前面壁
１２  後面壁
１３  開口部
１４  収納部
１５  側板
１６  底板
１７  前面板
１８  背面板
１９  板
２０  スライドレール
２１  貴重品
２２  ニッチ
２３  キャビネット
２４  引き出し付き収納棚
２５  仏具
２６  プラグ
２７  時計
２８  穴
２９  携帯電話
３０  充電式受話器
３１  コの字のスライドレール
３２  回動軸線